(57)【要約】  【課題】  従来は、部品点数が多く、装置が大掛かりで製造コストも嵩むという課題があった。  【解決手段】  アーム回転軸と巻取紙支持アーム対を有する巻取紙支持手段と、巻取紙支持アーム対に設けられ残紙巻取装置を有するフレーム側に巻取紙支持アームから少なくとも一端部を突出させた巻取紙支持部材とを有する給紙装置に備えられる残紙巻取装置において、アーム回転軸が予め定められた回転位相で停止したときに、巻取紙支持部材の突出した端部の端面に連係可能に対向する連係部を有する連係部材と、連係部を回転駆動する回転駆動手段と、連係部材を、巻取紙支持部材の端部の端面方向へ往復移動させることが可能な移動手段とを有し、巻取紙支持部材の端部の端面に連係部材の連係部を連係させ巻取紙支持部材を回転させ、巻取紙の残紙を巻き戻す残紙巻取装置による。【選択図】  図４
2005162341.tif 000002
【特許請求の範囲】
【請求項１】
アーム回転軸と巻取紙支持アーム対を有する巻取紙支持手段と、巻取紙支持アーム対に設けられ残紙巻取装置を有するフレーム側に巻取紙支持アームから少なくとも一端部を突出させた巻取紙支持部材とを有する給紙装置に備えられる残紙巻取装置において、
アーム回転軸が予め定められた回転位相で停止したときに、巻取紙支持部材の突出した端部の端面に連係可能に対向する連係部を有する連係部材と、
連係部を回転駆動する回転駆動手段と、
連係部材を、巻取紙支持部材の端部の端面方向へ往復移動させることが可能な移動手段とを有し、
巻取紙支持部材の端部の端面に連係部材の連係部を連係させて回転させ、この巻取紙支持部材を回転させることにより、巻取紙支持部材によって支持された巻取紙の残紙を巻き戻すことを特徴とする残紙巻取装置。
【請求項２】
連係部が、摩擦係数の大きい弾性体からなる連係部である請求項１記載の残紙巻取装置。
【請求項３】
連係部が、巻取紙支持部材の端部の端面の凹凸と噛み合うような凹凸が形成された面を有する連係部である請求項１記載の残紙巻取装置。
【発明の詳細な説明】
【技術分野】
【０００１】
この発明は、巻取紙を紙継ぎして連続的に供給する給紙装置において、紙継ぎ時の巻取紙切断後の切断位置より上流側の残紙を巻芯に巻き戻す残紙巻取装置に関する。例えば、輪転機における走行消費中の第１巻取紙と紙継ぎされるべく待機する第２巻取紙との紙継ぎ時の第１巻取紙切断後において、第１巻取紙の切断位置より上流側の残紙を巻芯に巻き戻す残紙巻取装置に関する。
【背景技術】
【０００２】
給紙装置の残紙巻取装置としては、下記の特許文献１，特許文献２及び特許文献３に示されるものが公知である。
【０００３】
特許文献１に示される残紙巻取装置（従来技術１）は、回転軸の軸方向に対向し、回転変位可能に設けられた巻取紙支持アームを有し、この巻取紙支持アームに回転可能に設けられた巻取紙支持部材に巻取紙の両側を支持される給紙装置において、対向する巻取紙支持アームの少なくとも一方の巻取紙支持部材に設けられた従動伝動部材と、この従動伝動部材と連係したときにこれを駆動する駆動源を備えた回転駆動手段と、巻取紙の残紙に向けて気体を吹き出す気体吹きだし手段とから構成される。
【０００４】
そして、回転駆動手段は、フレームに一端を支持され角変位可能なアームと、アームに固定され回転軸に駆動プーリーを取り付けた駆動源と、アームの中間部に設けられた駆動プーリーとベルトを介して連結される従動プーリーと、従動プーリーと一体で回転し従動伝動部材と係合して駆動を伝える駆動伝動部材と、アームを角変位させて従動伝動部材と駆動伝動部材を連係、離隔させる流体圧シリンダーとから成っている。
【０００５】
紙継ぎ位置から巻取紙交換位置の間の回転駆動手段の待機位置で、従動伝動部材は流体圧シリンダーの作動によって駆動伝動部材に連係され、次いで駆動源の作動により駆動プーリー及び従動プーリーを介して回転作動させられる駆動伝動部材によって従動伝動部材に駆動を伝えることにより、巻取紙は引き出される連続紙の走行消費時とは逆方向に回転されるようになっている。これにより、走行消費中に巻芯から引き出され紙継ぎ時の切断個所より上流の垂れ下がった残紙は巻き戻される。
【０００６】
特許文献２に示される残紙巻取装置（従来技術２）は、対向する巻取紙支持体が回転軸に取り付けられた給紙装置において、少なくとも一方の巻取紙支持体の巻取紙支持アームに設けられた従動伝動部材と、この従動伝動部材と連係、離脱可能で、連係したときにこれを駆動する回転駆動手段と、回転駆動手段を従動伝動部材に連係する位置と、従動伝動部材から離脱する位置のそれぞれで停止させるとストッパーから構成されている。
【０００７】
そして、回転駆動手段は、回転駆動源と、回転駆動源の回転軸に対して回転可能なアームと、回転駆動源の回転軸と一体で回転するように取り付けられた駆動源伝動部材と、上流側が駆動源伝動部材と連係し、かつアームに対して回転可能に取り付けられた少なくとも１個の中間伝動部材と、アームが回転駆動源の所定の出力トルク以下では回転駆動源の回転軸に対して回転しないように駆動源伝動部材又は／及び中間伝動部材のアームに対する回転を規制する回転規制手段とから成る。回転駆動手段は、回転駆動源の回転軸の回転に伴って、アームと一連の伝動部材とが一体で回転し、ストッパーによってアームの変位が停止されると、回転駆動源の出力トルクによって駆動源伝動部材と中間部伝動部材がアームに対して回転するようになっている。そして、この回転駆動手段は、巻取紙支持体のボス部に回転可能に嵌入しているスリープのアーム部に、回転駆動源が取り付けられており、スリーブは、連結杆、案内杆及びブラケットを介してフレームに連結され、ボス部に対する自由回転を規制される。
【０００８】
従来技術２の残紙巻取り装置は、紙継ぎ位置から巻取紙交換位置の間の回転駆動手段待機位置で、従動伝動部材は、回転駆動手段の回転駆動源の作動によって従動伝動部材との連係する位置に変位してストッパーによって停止された回転駆動手段の中間伝動部材に連係され、連続紙の走行消費時とは逆方向に回転されるようになっている。これにより、走行消費中に引き出され、紙継ぎ時の切断個所より上流の垂れ下がった残紙は巻き戻される。
【０００９】
特許文献３に示される残紙巻取装置（従来技術３）は、紙継ぎ後の残芯を回収する残芯回収装置である。この残芯回収装置は、昇降可能に支持された残芯受け部上面に残芯を回動させる巻き戻し機構が設けられ、残芯回収の際に、残芯回収位置に変位した巻取紙支持アームに支持された残芯周面、或いは残芯を支持しているチャッキング装置端部のコロに巻戻し機構の巻戻しローラーを当接させて、これをモーターで駆動させている。
【特許文献１】特許第２８２９８５３号公報
【特許文献２】特許第２５１６８９１号公報
【特許文献３】実願昭５７−９１１３号（実開昭５８−１１４２４９号）のマイクロフィルムにある全文明細書
【発明の開示】
【発明が解決しようとする課題】
【００１０】
前記した従来技術１及び従来技術２に示された残紙巻取装置では、回転駆動手段から巻取紙支持手段に回転駆動を伝えるため、対向する巻取紙支持アームの外側で巻取紙支持部材の一端に、歯車などの精密な加工の必要な比較的高価な従動伝動部材が各巻取紙支持アーム対毎に取り付けられている。そのため１台の給紙装置においては、前記比較的高価な従動伝動部材が巻取紙支持アーム対の数だけ必要となり、部品点数も巻取紙支持アームの数により増加し製造コストも嵩むという課題があった。
【００１１】
また、従来技術１は、決められた紙幅の巻取紙に合わせて残紙巻取装置の回転駆動手段がフレームに取り付けられている。使用する巻取紙の紙幅を変更して、巻取紙支持アームを回転軸の軸方向に移動して使用する場合には、残紙巻取装置の回転駆動手段は、巻取紙支持アームの位置へ移動可能と記されているが、具体的な構成、作用の明確な説明はない。
【００１２】
また、従来技術２は、巻取紙の紙幅を変更する際の巻取紙支持体の回転軸の軸方向への移動に対して残紙巻取装置の回転駆動手段が追従可能に設けられているが、回転駆動手段は、巻取紙支持体のボス部に嵌入しているスリーブに取り付けられ、スリーブは連結杆を介して案内杆に連結され、更に案内杆はブラケットを介してフレームに固定されている。この構成により回転駆動手段のボス部に対する自由回転が規制されているが、装置が大掛かりになる課題があった。
【００１３】
更に、従来技術３の残紙巻取装置は、残芯回収位置の巻取紙を支持して対向する巻取紙支持アーム間の直下に設けられ、紙継ぎ後、残芯回収位置の残紙を残芯受け部上面に設けた巻き戻し機構で巻き取り、残芯受け部で残芯を回収するように設けられている。残芯受け部は、待機位置と残芯回収位置との間を移動して使用され、待機位置から残芯回収位置までは大きく離れて設けられているので、残芯受け部を移動させるために大掛かりな装置となる課題があった。また、残芯を受けるために紙幅方向にも広い装置となる課題があった。
【００１４】
この発明は、前記従来技術１乃至３の有する課題を一挙に解決しようとするものである。すなわち、この発明の残紙巻取装置は、巻取紙支持アーム側に残紙巻取装置の部品を取り付けず、高価な部品を無くした安価かつコンパクトな装置とすることを目的とする。また、巻取紙の紙幅の変更にともなって回転軸の軸方向に移動した巻取紙支持アームに対して、容易に対応して巻取紙支持軸に回転駆動を与えることが可能な装置とすることを目的とする。
【課題を解決するための手段】
【００１５】
上記課題を解決するために、アーム回転軸と巻取紙支持アーム対を有する巻取紙支持手段と、巻取紙支持アーム対に設けられ残紙巻取装置を有するフレーム側に巻取紙支持アームから少なくとも一端部を突出させた巻取紙支持部材とを有する給紙装置に備えられる残紙巻取装置において、アーム回転軸が予め定められた回転位相で停止したときに、巻取紙支持部材の突出した端部の端面に連係可能に対向する連係部を有する連係部材と、連係部を回転駆動する回転駆動手段と、連係部材を、巻取紙支持部材の端部の端面方向へ往復移動させることが可能な移動手段とを有し、巻取紙支持部材の端部の端面に連係部材の連係部を連係させて回転させ、この巻取紙支持部材を回転させることにより、巻取紙支持部材によって支持された巻取紙の残紙を巻き戻すことを特徴とする残紙巻取装置を提案する。
【００１６】
連係部が、摩擦係数の大きい弾性体からなる連係部であるか、又は連係部が、巻取紙支持部材の端部の端面の凹凸と噛み合うような凹凸が形成された面を有する連係部である前記００１５欄記載の残紙巻取装置を提案する。
【発明の効果】
【００１７】
この発明により、残紙巻取装置を簡素でコンパクトとしため、メインテナンスを容易に行い得るようになった。
【００１８】
また、連係部材及び回転駆動手段を、移動手段により回転軸の軸方向に移動可能としたことにより、巻取紙支持アームの回転軸の軸方向の変位及び巻取紙の紙幅の変更に容易に対応可能になり、それぞれの機能が向上した。
【００１９】
更に、比較的高価な部品を無くして、装置を安価に製造することが可能となり、製造効率が向上した。
【発明を実施するための最良の形態】
【００２０】
この発明の残紙巻取装置の実施形態について図１乃至図１１に基づいて説明する。図１は、この発明の第１実施形態である残紙巻取装置を備えた給紙装置の正面図であり、残紙巻取装置の待機状態を示す。図２は、この発明の第１実施形態である残紙巻取装置を備えた給紙装置の正面図であり、残紙巻取装置と巻取紙支持部材との連係状態を示す。図３は、残紙巻取装置の待機状態を示す拡大一部断面図、図４は、残紙巻取装置と巻取紙支持部材との連係状態を示す拡大一部断面図、図５は、巻取紙の紙幅を変更したときの第１実施形態の残紙巻取装置を備えた給紙装置の正面図、図６は、残紙巻取装置の第２実施形態であり、残紙巻取装置と巻取紙支持部材との連係状態を示す拡大一部断面図、図７は、図２の給紙装置のＸ−Ｘ線断面図を示す。図８乃至図１１は、この発明の残紙巻取装置を備えた給紙装置の動作説明図である。
【００２１】
この発明の残紙巻取装置１を備えた給紙装置Ｋは、図１，図２及び図７に示すように複数の巻取紙Ｒ、この実施形態では２つの巻取紙（第１巻取紙Ｒ１、第２巻取紙Ｒ２）を支持する巻取紙支持手段６が設けられている。巻取紙支持手段６は、アーム回転軸５と、複数の巻取紙支持アーム対６Ａ、６Ｂとを備えている。アーム回転軸５は、対向するフレームＦ１、Ｆ２にそれぞれ固定されたスリーブ５０、５１に回転可能に軸受けされ、フレームＦ１に設けられたアーム回転用モーター５２からギヤーボックス５３を介して回転駆動されるようになっている。この明細書においては対向するフレームＦ１とＦ２の互いに対向する面をフレーム内側とする。
【００２２】
図８乃至図１１に示されるペースターアーム８は、フレームＦ１、Ｆ２間に設けられており、走行する連続紙Ｐを紙継ぎされるべく待機する巻取紙Ｒ、この実施例では第２巻取紙Ｒ２の周面に押し当てるブラシ８０と、連続紙Ｐを紙継ぎされた位置の上流で切断するカッター８１を有している。また、紙継ぎされるべく待機する巻取紙Ｒ、この実施例では第２巻取紙Ｒ２の紙端Ｑには、予めその表面に貼着部（図示せず）が設けられており、紙端Ｑは、第２巻取紙Ｒ２の周面に仮止めされている。
【００２３】
対向する一対の巻取紙支持アーム６０ａ、６１ａからなる巻取紙支持アーム対６Ａは、それぞれの巻取紙支持アーム６０ａ、６１ａの先端部に互いに対向する巻取紙支持部材６２ａ、６３ａを備えている。各巻取支持部材６２ａ、６３ａは、この実施形態では各巻取紙支持回転軸６２ａ、６３ａからなる。各巻取紙支持回転軸６２ａ、６３ａは、それぞれの巻取紙支持アーム６０ａ、６１ａに対して回転可能で、かつ互いに対向する側へ出没可能に取り付けられている。対向する巻取紙支持回転軸６２ａ、６３ａは、アーム回転軸５と平行な同一線上に設けられており、突出することにより巻取紙Ｒ、この実施例では第１巻取紙Ｒ１の芯管を両側から支持可能である。
【００２４】
同様に、対向する一対の巻取紙支持アーム６０ｂ、６１ｂからなる巻取紙支持アーム対６Ｂは、それぞれの巻取紙支持アーム６０ｂ、６１ｂの先端部に互いに対向する巻取紙支持部材６２ｂ、６３ｂを備えている。各巻取支持部材６２ｂ、６３ｂは、この実施形態では各巻取紙支持回転軸６２ｂ、６３ｂからなる。各巻取紙支持回転軸６２ｂ、６３ｂは、それぞれの巻取紙支持アーム６０ｂ、６１ｂに対して回転可能で、かつ互いに対向する側へ出没可能に取り付けられている。対向する巻取紙支持回転軸６２ｂ、６３ｂは、アーム回転軸５と平行な同一線上に設けられており、突出することにより巻取紙Ｒ、この実施例では第２巻取紙Ｒ２の芯管を両側から支持可能である。
【００２５】
各巻取紙支持アーム６０ａ、６１ａ、６０ｂ、６１ｂは、それぞれアーム回転軸５に対して、軸方向に移動可能であり、かつ角変位はできないように設けられている。第１実施形態において巻取紙支持アーム対６Ａ（巻取紙支持アーム６０ａ、６１ａ）と巻取紙支持アーム対６Ｂ（巻取紙支持アーム６０ｂ、６１ｂ）は、アーム回転軸５の軸心を中心として中心角１８０度離れた配置で設けられている。
【００２６】
アーム回転用モーター５２が設けられたフレ−ムＦ１側に設けられる巻取紙支持アーム６０ａ、６０ｂの巻取紙支持回転軸６２ａ、６２ｂは、それぞれ巻取紙支持アーム６０ａ、６０ｂより、フレームＦ１側へ突出させて設けられる。巻取紙支持アーム６０ａ、６０ｂよりフレームＦ１側へ突出した巻取紙支持回転軸６２ａ、６２ｂの端面６２０が、残紙巻取装置１、１ｂの連係部２０と連係可能である。
【００２７】
この発明の第１実施形態である残紙巻取装置１は、連係部材２と、回転駆動手段３と、移動手段４とからなる。
【００２８】
連係部材２は、フレームＦ１側に設けられる巻取紙支持回転軸６２ａの巻取紙支持アーム６０ａ、又は巻取紙支持回転軸６２ｂの巻取紙支持アーム６０ｂよりフレームＦ１側に突出する端面６２０と対向し連係可能な円端面を含む部材であり、円端面を連係部２０として形成する。連係部２０は、摩擦係数の比較的大きな素材、例えばゴム、皮革、コルクのような素材で形成されるが、他の実施例では円端面に凹凸を形成し、連係する巻取紙支持回転軸６２ａ又は巻取紙支持回転軸６２ｂの端面６２０に連係部２０の凹凸と対応する凹凸を形成して互いに噛み合わせ可能に形成してもよい。連係部２０の円端面の直径は、巻取紙支持回転軸６２ａ又は巻取紙支持回転軸６２ｂのフレームＦ１側端面の直径より大きい。連係部２０は、回転駆動手段３により回転可能である。
【００２９】
回転駆動手段３は、後述する移動手段４の基板４０に取り付けられた巻取用モーター３０と、巻取用モーター３０のモーター回転軸３００に取り付けられた駆動歯車３１と、駆動歯車３１と噛合する従動歯車３２と、従動歯車３２の回転中心軸であり連係部材２の回転軸でもある連係部材回転軸３３とを有しており、連係部材回転軸３３は、基板４０に軸受３４を介して回転可能に支持されて、先端に連係部材２を固定している。したがって、巻取用モーター３０の回転は、モーター回転軸３００、駆動歯車３１、従動歯車３２から連係部材回転軸３３を介して連係部材２に伝動され、連係部材２は回転する。回転駆動手段３の他の実施形態としては、駆動歯車３１と従動歯車３２の代わりにプーリーとベルトにより、巻取用モーター３０の回転を連係部材２に伝動してもよい。
【００３０】
移動手段４は、フレームＦ１に取り付けられたブラケット７に固定される流体圧シリンダー４１と、流体圧シリンダー４１のシリンダーロッド４１０に平行に設けられる移動用軸４２と、移動用軸４２を軸方向に案内する移動用ガイド４３と、シリンダーロッド４１０の先端と移動用軸４２の先端とに固定されている基板４０を有している。この実施例では流体圧シリンダー４１はエアシリンダーから成るが、他の実施例では油圧シリンダー等の液体シリンダーでもよい。エアシリンダー４１のシリンダーロッド４１０は、アーム回転軸５の軸方向でフレームＦ１の内側方向へ伸縮可能であり、その先端は基板４０と固定される。移動用ガイド４３は、細長い円筒体でありフレームＦ１にアーム回転軸５と平行になるように固定して取り付けられている。移動用軸４２は、伸縮するシリンダーロッド４１０のストローク量より長い長さの棒状体からなりフレームＦ１の内側の先端に基板４０を固定しており、移動用ガイド４３の円筒体内部に、アーム回転軸５の軸方向に往復移動可能に支持される。基板４０は、シリンダーロッド４１０の先端と移動用軸４２の先端とに固定されており、フレームＦ１の内側面と平行に対向して設けられる。移動手段４は、連係部材２と回転駆動手段３を巻取紙支持回転軸６２ａ又は巻取紙支持回転軸６２ｂの端面６２０の方向へ往復移動させる。
【００３１】
次に、この発明の残紙巻取装置１を備えた給紙装置Ｋの作用を図１、図２及び図７、図８乃至図１１に基づいて説明する。
【００３２】
給紙装置Ｋは、輪転機（図示せず）の通常印刷運転に際しては、巻取紙支持アーム対６Ａ、６Ｂは図８に示す位置に停止し、巻取紙支持アーム対６Ａに支持された第１巻取紙Ｒ１又は巻取紙支持アーム対６Ｂに支持された第２巻取紙Ｒ２から連続紙を供給している。
【００３３】
そして、例えば巻取紙支持アーム対６Ａに支持され連続紙Ｐ１を引き出されている第１巻取紙Ｒ１が所定の第１直径になるとセンサー（図示せず）が検知し、アーム回転軸５が、アーム回転用モータ５２の起動によって時計回り方向へ回転し、巻取紙支持アーム対６Ａ及び巻取紙支持アーム対６Ｂが回転変位し、巻取紙支持アーム対６Ａに支持された第１巻取紙Ｒ１及び巻取紙支持アーム対６Ｂに支持された第２巻取紙Ｒ２も回転変位する。
【００３４】
この回転変位により、第１巻取紙Ｒ１は図９に示す位置、即ち紙継ぎ位置に移動する。この移動をセンサー（図示せず）が検知するとアーム回転用モーター５２は停止し、巻取紙支持アーム対６Ａ、６Ｂは図９に示す位置で停止する。この紙継ぎ位置において巻取紙支持アーム対６Ａに支持されている連続紙Ｐ１を引き出されている第１巻取紙Ｒ１が所定の第２直径に達すると、これをセンサー（図示せず）が検知し、待機する第２巻取紙Ｒ２が駆動装置（図示せず）によって反時計回り方向に回転させられる。第２巻取紙Ｒ２の回転周速が、第１巻取紙Ｒ１から引き出されて走行する連続紙Ｐ１の走行速度と同速度となるまで加速される。このときペースターアーム８は、図９の位置から図１０の位置まで変位する。
【００３５】
そして、図１０に示すように第１巻取紙Ｒ１が、所定の第３直径に達したことがセンサー（図示せず）によって検知されると、適宜なタイミングでブラシ８０が作動して連続紙Ｐ１を第２巻取紙Ｒ２の周面へ押し当てる。これにより、第２巻取紙Ｒ２の紙端Ｑが貼着部によって連続紙Ｐ１に貼り付けられると、仮止めが外れ連続紙Ｐ１と一緒に引き出し始められる。この作動と略同時に連続紙Ｐ１の紙継ぎ位置の上流側へカッター８１が作用して、第１巻取紙Ｒ１からの連続紙Ｐ１は切断され、残りは残紙ＲＳとなるとともに、紙継ぎされた第２巻取紙Ｒ２の連続紙Ｐ２が引き出され走行し始める。
【００３６】
第１巻取紙Ｒ１は、カッター８１によって切断されると、巻取紙支持回転軸６２ａに設けた制動手段（図示せず）の作動によって回転が停止され、第１巻取紙Ｒ１から引き出された状態の残紙ＲＳは下方へ垂れ下がり、ペースターアーム８も元の位置に復帰し待機状態となる（図１１）。
【００３７】
図１０において、アーム回転用モーター５２が回転するとアーム回転軸５が反時計回り方向へ回転し、アーム回転軸５が予め定められた回転位相に達すると、センサー（図示せず）が検知してアーム回転用モーター５２を停止させ、巻取紙支持アーム対６Ａ及び巻取紙支持アーム対６Ｂが回転変位し、巻取紙支持アーム対６Ａに支持された第１巻取紙Ｒ１及び巻取紙支持アーム対６Ｂに支持された第２巻取紙Ｒ２も回転変位し停止する。この停止した位置は、通常印刷運転時の停止位置であり図１１に示されている。
【００３８】
図１１に示すように、巻取紙支持アーム対６Ａの巻取紙支持回転軸６２ａの停止位置は、巻取紙支持アーム６０ａから突出する巻取紙支持回転軸６２ａの端面６２０が、この発明の残紙巻取装置１の連係部材２の円端面である連係部２０と対向する位置である。そして、この第１巻取紙Ｒ１の位置が、残紙巻取り位置であり、この位置において残紙巻取装置１によって第１巻取紙Ｒ１の残紙巻取りが行われる。
【００３９】
次に、この発明の残紙巻取装置１の作動を図３及び図４に基づいて説明する。紙継ぎ終了後、引き出された残紙ＲＳが垂れ下がる第１巻取紙Ｒ１が、図１１に示される残紙巻取り位置に停止すると、図３に示す移動手段４のエアシリンダー４１が作動してシリンダーロッド４１０が伸長する。シリンダーロッド４１０の伸長により基板４０に取り付けられている連係部材２及び回転駆動手段３が、第１巻取紙Ｒ１を支持している巻取支持回転軸６２ａの端面に向けて移動され、図４に示されるように連係部２０が巻取支持回転軸６２ａの端面６２０に押し付けられる。
【００４０】
この連係部材２と回転駆動手段３の移動に際し、基板４０にシリンダーロッド４１０と共通して先端が取り付けられている移動用軸４２が、移動用ガイド４３に従って移動するため、連係部材２と回転駆動手段３の直進移動を補助し安定させる。このとき、エアシリンダー４１に入力される圧力は、連係部材２の連係部２０が、巻取支持回転軸６２ａの端面６２０を押す押し付け力が適正になるように予め調整され設定されている。
【００４１】
次に、巻取用モーター３０が起動され、その回転軸３００の回転により、駆動歯車３１，従動歯車３２、連係部材回転軸３３が回転し、連係部材回転軸３３の先端に取り付けられている連係部材２も回転する。連係部材２の回転により連係部２０により端面６２０を押し付けられている巻取紙支持回転軸６２ａも回転する。この回転方向は、印刷時の通常運転によって連続紙Ｐ１が回転する方向とは逆方向であり、図７及び図１１において、時計回り方向になる。
【００４２】
このとき、巻取紙支持回転軸６２ａの回転速度は、連係部材２の回転速度と同じである必要はなく、当接している端面同士がスリップしても巻取紙支持回転軸６２ａが回転して残紙ＲＳを巻取ることができる回転数を伝達できればよい。
【００４３】
この巻取用モーター３０の回転により、巻取紙支持回転軸６２ａと巻取紙Ｒ１が通常印刷時の回転とは逆方向に回転し、紙継ぎ時の切断個所より上流の垂れ下がった残紙ＲＳは巻き戻される。巻取用モーター３０は、残紙ＲＳの巻き戻し完了に充分な適宜の時間を予め設定されたタイマーの計時終了によって回転を停止する。
【００４４】
巻取用モーター３０の回転が停止した後、エアシリンダー４１のシリンダーロッド４１０が短縮され、巻取紙支持回転軸６２ａの端面６２０から連係部材２の連係部２０が離隔し、連係部材２と回転駆動手段３は待機位置（図３）まで移動する。この移動に際しても、基板４０にシリンダーロッド４１０と共通して先端が取り付けられている移動用軸４２が、移動用ガイド４３に従って移動するため、連係部材２と回転駆動手段３の直進移動を補助し安定させる。この後は、第１巻取紙Ｒ１であった残芯を巻取紙支持回転軸６２ａ、６３ａから取り外して回収が行われる。同じ巻取紙支持回転軸６２ａ、６３ａ間に新しい巻取紙Ｒ３（図示せず）が支持されて装着される。巻取紙Ｒ３は、図８に示す巻取紙Ｒ２の位置にあり、以後順次前述したように図９、図１０、図１１の動作が連続して複数回繰り返される。
【００４５】
図５は、使用する巻取紙Ｒ４及び巻取紙Ｒ５が、巻取紙Ｒ１、Ｒ２より紙幅の狭い場合の説明図である。使用する巻取紙Ｒ４及び巻取紙Ｒ５の紙幅が狭い場合でも、移動手段４のエアシリンダー４１のシリンダーロッド４１０のストローク量を充分に設けることによって、連係部材２の連係部２０を、巻取紙支持回転軸６２ａの端面６２０に適宜な押し付け力で押し付けることが可能である。
【００４６】
次に、図６に示すこの発明の残紙巻取装置１ｂの第２実施形態について説明する。この発明の第２実施形態の残紙巻取装置１ｂは、連係部材２と、回転駆動手段３ｂと、移動手段４ｂとからなる。
【００４７】
連係部材２は、第１実施形態と同様であり、フレームＦ１側に設けられる巻取紙支持回転軸６２ａ又は巻取紙支持回転軸６２ｂの巻取紙支持アーム６０ａ、６０ｂよりフレームＦ１側に突出する端面６２０と対向し連係可能な円端面を含む部材であり、円端面を連係部２０として形成する。連係部２０は、摩擦係数の比較的大きな素材、例えばゴム、皮革、コルクのような素材で形成されるが、他の実施例では円端面に凹凸を形成し、連係する巻取紙支持回転軸６２ａ又は巻取紙支持回転軸６２ｂの端面６２０に連係部２０の凹凸と対応する凹凸を形成して互いに噛み合わせ可能に形成してもよい。連係部２０の円端面の直径は、巻取紙支持回転軸６２ａ又は巻取紙支持回転軸６２ｂのフレームＦ１側端面の直径より大きい。連係部２０は、回転駆動手段３ｂにより回転可能である。
【００４８】
回転駆動手段３ｂは、後述する移動手段４ｂの基板４０ｂの略中央に取り付けられた巻取用モーター３０ｂからなる。巻取用モーター３０ｂは、その回転軸３０１の先端に連係部材２を固定して取り付けており、その取り付け位置は連係部材２の回転中心である。したがって、巻取用モーター３０ｂの回転軸３０１は、連係部材２の回転軸でもある。
【００４９】
移動手段４ｂは、フレームＦ１に取り付けられたブラケット７に固定される流体圧シリンダー４１ｂと、流体圧シリンダー４１ｂの上下両側にシリンダーロッド４１０ｂに平行に設けられる２つの移動用軸４２ｂ、４２ｂと、それぞれの移動用軸４２ｂ、４２ｂを軸方向に案内する２つの移動用ガイド４３ｂ、４３ｂと、シリンダーロッド４１０ｂの先端と２つの移動用軸４２ｂ、４２ｂの先端とに固定されている基板４０ｂとを有している。第２実施形態では、シリンダーロッド４１０ｂの先端は、基板４０ｂの略中央に固定される。移動用軸４２ｂ、移動用ガイド４３ｂの数は、互いに平行であれば２つに限定されない。
【００５０】
この実施例では流体圧シリンダー４１ｂはエアシリンダーから成るが、他の実施例では油圧シリンダー等の液体シリンダーでもよい。エアシリンダー４１ｂのシリンダーロッド４１０ｂは、アーム回転軸５の軸方向でフレームＦ１の内側方向へ伸縮可能であり、その先端は基板４０ｂと固定される。
【００５１】
それぞれの移動用ガイド４３ｂ、４３ｂは、細長い円筒体でありフレームＦ１にアーム回転軸５及びシリンダーロッド４１０ｂと平行になるように固定して取り付けられている。
【００５２】
それぞれの移動用軸４２ｂ、４２ｂは、伸縮するシリンダーロッド４１０ｂのストローク量より長い長さの棒状体からなり、フレームＦ１の内側の先端に基板４０ｂを固定しており、それぞれの移動用ガイド４３ｂ、４３ｂの円筒体内部にアーム回転軸５の軸方向に往復移動可能に支持される。基板４０ｂは、シリンダーロッド４１０ｂの先端と２つの移動用軸４２ｂ、４２ｂの先端とに固定されており、フレームＦ１と内側面と平行に対向して設けられる。移動手段４ｂは、連係部材２と回転駆動手段３ｂを巻取紙支持回転軸６２ａ又は巻取紙支持回転軸６２ｂの外端面の方向へ往復移動させる
【００５３】
この発明の第２実施形態である残紙巻取装置１ｂは、移動手段４ｂのエアシリンダー４１ｂのシリンダーロッド４１０ｂの伸縮により、基板４０ｂを介して巻取用モーター３０ｂ及び連係部材２が、巻取紙支持回転軸６２ａの端面６２０方向へ往復移動する。シリンダーロッド４１０ｂの伸長により基板４０ｂに取り付けられている連係部材２及び回転駆動手段３ｂが、巻取支持回転軸６２ａの端面６２０に向けて移動され、連係部２０が巻取支持回転軸６２ａの端面６２０に押し付けられる。
【００５４】
この連係部材２と回転駆動手段３ｂの移動に際し、２つの移動用軸４２ｂ、４２ｂが、それぞれ２つの移動用ガイド４３ｂ、４３ｂに従って移動するため、連係部材２と回転駆動手段３ｂの直進移動を補助し安定させる。このとき、エアシリンダー４１ｂに入力される圧力は、連係部材２の連係部２０が、巻取支持回転軸６２ａの端面６２０を押す押し付け力が適正になるように予め調整され設定されている。
【００５５】
次に、巻取用モーター３０ｂが起動され、その回転軸３０１の回転により、回転軸３０１にその回転中心で固定されている連係部材２も回転する。連係部材２の回転により連係部２０により端面６２０を押し付けられている巻取紙支持回転軸６２ａも回転する。この回転方向は、印刷時の通常運転によって連続紙Ｐ１が回転する方向とは逆方向であり、巻取紙Ｒから引き出されている残紙ＲＳは巻き戻される。
【００５６】
上述した、この発明の第２実施形態の残紙巻取装置１ｂは、よりコンパクトで、メインテナンスが容易に行えるとともに安価に製造でき、かつ第１実施形態と同様、巻取紙の紙幅の変更に容易に対応が可能である。
【００５７】
また、この発明の残紙巻取装置１の移動手段４又は残紙巻取装置１ｂの移動手段４ｂを、流体圧シリンダーに替えて、ラックとピニオンからなる機構（図示せず）によって構成してもよい。即ち、ラックの一端に基板４０又は４０ｂを取り付け、図示しないピニオン用回転駆動手段にピニオンを取り付けてラックと噛合させる。そして、回転駆動手段によりピニオンを回転させ、この回転によりラックをシリンダーロッド４１０の伸縮方向と同じ方向に往復移動させて、回転駆動手段３又は３ｂ及び連係部材２を往復移動させることが可能である。
【００５８】
さらに、残紙巻取りを行う際の巻取紙支持アーム対６Ａ、６Ｂの停止位置は、図８に示す通常印刷運転時停止位置から１８０度角はなれた位置に位置する巻取紙支持回転軸６２ａ（又は６２ｂ）に回転を伝達可能であるように残紙巻取装置１又は１ｂを設けて残紙巻取りを行うことが、好ましい。しかし、巻取紙支持アーム対６Ａ、６Ｂの停止位置の他の実施例として、図１０に示す状態である紙継ぎ位置から図８に示す状態である通常印刷運転時停止位置までの間の位置において、予め定めた回転位相に停止位置を決め、その停止位置に停止した状態で残紙巻取りを行うようにしてもよい。
【産業上の利用可能性】
【００５９】
この発明は、印刷物、特に大量に連続印刷される新聞等の印刷装置において、巻取紙を紙継ぎして連続的に供給する給紙装置の残紙巻取装置を改良することにより、従来に比べ部品数を少なくすることができ、またメインテナンスの行いやすい装置としたため、印刷効率が向上し、印刷産業上の利用可能性が高い。
【図面の簡単な説明】
【００６０】
【図１】この発明の第１実施形態である残紙巻取装置を備えた給紙装置の正面図であり、残紙巻取装置の待機状態を示す。
【図２】この発明の第１実施形態である残紙巻取装置を備えた給紙装置の正面図であり、残紙巻取装置の連係状態を示す。
【図３】図１に示す残紙巻取装置の要部拡大一部断面図
【図４】図２に示す残紙巻取装置の要部拡大一部断面図
【図５】巻取紙の紙幅を変更したときの第１実施形態の残紙巻取装置を備えた給紙装置の正面図
【図６】この発明の残紙巻取装置の第２実施形態であり、図４と同じ位置の要部拡大一部断面図
【図７】図２の給紙装置のＸ−Ｘ線断面図を示す。
【図８】この発明の残紙巻取装置を備えた給紙装置の動作説明図
【図９】この発明の残紙巻取装置を備えた給紙装置の動作説明図
【図１０】この発明の残紙巻取装置を備えた給紙装置の動作説明図
【図１１】この発明の残紙巻取装置を備えた給紙装置の動作説明図
【符号の説明】
【００６１】
１  残紙巻取装置（第１実施形態）
２  連係部材
２０  連係部
３  回転駆動手段
３０  巻取用モーター
３００  モーター回転軸
３１  駆動歯車
３２  従動歯車
３３  連係部材回転軸
３４  軸受
４  移動手段
４０  基板
４１  エアシリンダー（流体圧シリンダー）
４１０  シリンダーロッド
４２  移動用軸
４３  移動用ガイド
５  アーム回転軸
５０  スリーブ
５１  スリーブ
５２  アーム回転用モーター
５３  ギヤーボックス
６  巻取紙支持手段
６Ａ  巻取紙支持アーム対
６０ａ、６１ａ  巻取紙支持アーム
６２ａ、６３ａ  巻取紙支持回転軸（巻取紙支持部材）
６２０  巻取紙支持回転軸の端面
６Ｂ  巻取紙支持アーム対
６０ｂ、６１ｂ  巻取紙支持アーム
６２ｂ、６３ｂ  巻取紙支持回転軸（巻取紙支持部材）
６２０  巻取紙支持回転軸の端面
７  ブラケット
８  ペースターアーム
８０  ブラシ
８１  カッター
１ｂ  残紙巻取装置（第２実施形態）
２  連係部材
２０  連係部
３ｂ  回転駆動手段
３０ｂ  巻取用モーター
３０１  モーター回転軸
４ｂ  移動手段
４０ｂ  基板
４１ｂ  エアシリンダー（流体圧シリンダー）
４１０ｂ  シリンダーロッド
４２ｂ  移動用軸
４３ｂ  移動用ガイド
Ｆ１  フレーム
Ｆ２  フレーム
Ｋ  給紙装置
Ｒ  巻取紙
Ｒ１  第１巻取紙（走行消費中の巻取紙、又は残紙を巻取られる巻取紙）、
Ｒ２  第２巻取紙（紙継ぎされるべく待機中の巻取紙、又は紙継ぎされた後の巻取紙）、
ＲＳ  残紙
Ｒ４、Ｒ５  紙幅の狭い巻取紙
Ｒ６  巻取紙
Ｐ、Ｐ１、Ｐ２  連続紙
Ｑ  巻取紙の紙端
【図１】
2005162341.tif 000003
【図２】
2005162341.tif 000004
【図３】
2005162341.tif 000005
【図４】
2005162341.tif 000006
【図５】
2005162341.tif 000007
【図６】
2005162341.tif 000008
【図７】
2005162341.tif 000009
【図８】
2005162341.tif 000010
【図９】
2005162341.tif 000011
【図１０】
2005162341.tif 000012
【図１１】
2005162341.tif 000013